(57)【要約】【課題】ユーザが手本音声を真似て発声した音声を録音し、手本音声とユーザの発声音声を繰り返し再生するときに、ユーザの発声速度によっては適切な手本音声を切り出すことができない。【解決手段】再生区間で手本音声情報を繰り返して再生しているときに、操作指示手段で指示された第１の操作指示によって記録手段による音声情報の記録を開始して、操作指示手段でその後指示された第２の操作指示によって記録手段による音声情報の記録を終了して、その後、再生手段によって手本音声情報の再生区間分と音声情報を繰り返して再生する。【選択図】図１
2011203422.tif 000002
【特許請求の範囲】
【請求項１】
音声情報を集音する集音手段と、
手本音声情報を予め記録しているメモリと、
前記集音手段で集音した音声情報を前記メモリに記録する記録手段と、
再生区間を指示する再生区間指示手段と、
前記再生区間指示手段で指示した再生区間をもとに、前記手本音声情報および前記集音音声情報を再生可能な再生手段と、
第１の操作指示と第２の操作指示を指示可能な操作指示手段と、
前記操作指示手段による指示により、前記記録手段及び前記再生手段を制御し、前記手本音声情報と前記音声情報を繰り返して再生する制御手段とを備え、
前記制御手段は、前記再生区間で手本音声情報を繰り返して再生しているときに、前記操作指示手段で指示された第１の操作指示によって前記記録手段による音声情報の記録を開始して、前記操作指示手段でその後指示された第２の操作指示によって前記記録手段による前記音声情報の記録を終了して、その後、前記再生手段によって前記手本音声情報の前記再生区間分と前記音声情報を繰り返して再生することを特徴とする記録再生装置。
【請求項２】
音声情報を集音する集音手段と、
手本音声情報を予め記録しているメモリと、
前記集音手段で集音した音声情報を前記メモリに記録する記録手段と、
前記手本音声情報および前記集音音声情報を再生可能な再生手段と、
第１の操作指示と第２の操作指示を指示可能な操作指示手段と、
前記操作指示手段による指示により、前記記録手段及び前記再生手段を制御し、前記手本音声情報と前記音声情報を繰り返して再生する制御手段とを備え、
前記制御手段は、前記操作指示手段で指示された第１の操作指示によって前記記録手段による音声情報の記録を開始して、前記操作指示手段でその後指示された第２の操作指示によって前記記録手段による前記音声情報の記録を終了して、その後、前記再生手段によって前記手本音声情報と前記音声情報を繰り返して再生することを特徴とする記録再生装置。
【請求項３】
前記操作指示手段は、前記第１の操作指示と前記第２の操作指示が同じであることを特徴とする請求項１または２に記載の記録再生装置。
【請求項４】
前記操作指示手段は、前記第１の操作指示と前記第２の操作指示が異なることを特徴とする請求項１または２に記載の記録再生装置。
【請求項５】
音声情報を集音する集音手段と、
手本音声情報を予め記録しているメモリと、
前記集音手段で集音した音声情報を前記メモリに記録する記録手段と、
再生区間を指示する再生区間指示手段と、
前記再生区間指示手段で指定した再生区間をもとに、前記手本音声情報および前記集音音声情報を再生可能な再生手段と、
第２の操作指示を指示可能な操作指示手段と、
前記操作指示手段による指示により、前記記録手段及び前記再生手段を制御する制御手段とを備え、
前記制御手段は、前記再生区間で手本音声情報を特定回数繰り返して再生した後に前記記録手段による音声情報の記録を開始して、前記操作指示手段でその後指示された第２の操作指示によって前記記録手段による前記音声情報の記録を終了して、その後、前記再生手段によって前記手本音声情報の前記再生区間分と前記音声情報を繰り返して再生することを特徴とする記録再生装置。
【請求項６】
前記制御手段は、前記再生区間で手本音声情報を特定の速度で再生しているとき、前記第２の操作指示によって、手本音声情報は前記特定の速度のまま再生し、記録した音声情報は１倍速で再生することで、前記再生手段によって前記手本音声情報の前記再生区間分と前記音声情報を繰り返して再生するを特徴とする請求項３〜５に記載の記録再生装置。
【発明の詳細な説明】
【技術分野】
【０００１】
本発明は、フラッシュメモリなどの記録媒体を用いた記録再生装置に関し、特に、手本音声と録音音声の記録および再生方法に関するものである。
【背景技術】
【０００２】
従来、音声情報を記録する記録媒体として、テープメディアが多用されてきたが、近年、デジタルオーディオプレーヤ、ＩＣレコーダ、デジタルカメラなどを代表とするデジタル機器、ＳＤカード、ＭＭＣカードなどを代表とするメモリカード等において、不揮発性メモリであるフラッシュメモリが多用されている。フラッシュメモリは、プロセスの進化などにより、大容量化してきていることに加え、テープメディアの最大の欠点であったランダムアクセスが可能であることから、デジタル機器における複雑な記録制御や再生制御が可能なデバイスであり、さまざまな商品分野において多用されている。
【０００３】
特許文献１では、ＩＣレコーダを用いて語学学習を行う方法として、ユーザが手本音声を真似て発声した音声を録音し、手本音声とユーザの発声音声を繰り返し再生する方法が開示されている。この手法では、まず、ユーザは、あらかじめ記録しておいた手本音声を再生する。そして、ユーザは、発音練習したいフレーズ（手本音声の全てまたは一部分）を聴き、そのフレーズの末尾まで再生が終わった時点で、ユーザが第一の操作を行うことにより、手本音声の再生が停止され、録音状態に移行する。そして、録音状態において、発音練習したいフレーズを真似てユーザが発声を行い、その発声音声が録音される。その後、ユーザは、発声が完了した時点で、第二の操作を行うことにより、発声音声の録音が停止される。そして、その後、自動的に、フレーズと発生音声が繰り返し再生され、ユーザは、この繰り返し再生において両者を聞き比べることにより、発音練習という語学学習を行うことができる。これらの手順において、繰り返し再生におけるフレーズの再生を行う部分というのは、終了位置を、手本音声再生において第一の操作が行われたタイミングとし、開始位置を、手本音声の前記終了位置から発声音声を録音した時間長だけ遡った位置とすることが開示されている。
【先行技術文献】
【特許文献】
【０００４】
【特許文献１】特許第３９７８４６５号公報
【発明の概要】
【発明が解決しようとする課題】
【０００５】
しかしながら、従来の記録再生装置は、発声音声の録音の際に、ユーザが、フレーズと全く同じ速度で発声を行った場合は、発音練習したいフレーズと録音した発声音声とが、違和感なく交互に再生されるが、もし、発声音声の録音の際に、ユーザが、フレーズより早口で発声を行ってしまった場合は、発声音声の時間長が短くなるため、繰り返し再生の際に、発音練習したいフレーズの頭が欠けてしまったり、また逆に、発声音声の録音の際に、ユーザが、フレーズよりゆっくり発声を行ってしまった場合は、発声音声の時間長が長くなるため、繰り返し再生の際に、発声練習したいフレーズの頭に不要な音声が混入してしまうという課題があった。
【０００６】
そこで、本発明は、上記従来の問題点を解決すべく、発音練習したいフレーズを区間再生することで最初に確定しておき、その状態から、発声音声の録音を開始および停止することにより、適切な正しい区間で、発音練習したいフレーズと発声音声の繰り返し再生を行うことができる記録再生装置を提供することを目的とする。
【課題を解決するための手段】
【０００７】
上記目的を達成するために、本発明の記録装置は、音声情報を集音する集音手段と、手本音声情報を予め記録しているメモリと、前記集音手段で集音した音声情報を前記メモリに記録する記録手段と、再生区間を指示する再生区間指示手段と、前記再生区間指示手段で指示した再生区間をもとに、前記手本音声情報および前記集音音声情報を再生可能な再生手段と、第１の操作指示と第２の操作指示を指示可能な操作指示手段と、前記操作指示手段による指示により、前記記録手段及び前記再生手段を制御し、前記手本音声情報と前記音声情報を繰り返して再生する制御手段とを備え、前記制御手段は、前記再生区間で手本音声情報を繰り返して再生しているときに、前記操作指示手段で指示された第１の操作指示によって前記記録手段による音声情報の記録を開始して、前記操作指示手段でその後指示された第２の操作指示によって前記記録手段による前記音声情報の記録を終了して、その後、前記再生手段によって前記手本音声情報の前記再生区間分と前記音声情報を繰り返して再生することを特徴としたものである。
【発明の効果】
【０００８】
上記の構成によれば、発音練習したいフレーズを区間再生することで最初に確定しておき、その状態から、発声音声の録音を開始および停止することにより、適切な正しい区間で、発音練習したいフレーズと発声音声の繰り返し再生を行うことができる記録再生装置を提供できる。
【図面の簡単な説明】
【０００９】
【図１】実施の形態１にかかる記録再生装置を示すブロック図
【図２】実施の形態１にかかる記録再生装置のフラッシュメモリ部における読み出し動作および書き込み動作の一例を示すメモリマップ図
【図３】実施の形態１にかかる記録再生装置における再生動作を示すフローチャート
【図４】実施の形態１にかかる記録再生装置における区間再生動作を示すフローチャート
【図５】実施の形態１にかかる記録再生装置における発声録音動作を示すフローチャート
【図６】実施の形態１にかかる記録再生装置におけるレッスン再生動作を示すフローチャート
【発明を実施するための形態】
【００１０】
以下、本発明の記録再生装置の実施の形態について、ＩＣレコーダを一例とし、図面を参照しながら説明する。
（実施の形態１）
図１に、実施の形態１にかかる記録再生装置（ＩＣレコーダ）の一例を示すブロック図を示す。
【００１１】
ＩＣレコーダ１００は、制御部１０１、表示部１０２、操作部１０３、オーディオ処理部１０４、マイク部１０５、スピーカ部１０６、通信部１０７、記録部１１２、再生部１１３とから構成されている。
【００１２】
制御部１０１は、記録部１１２および再生部１１３に対してフラッシュメモリ部１０８上のアドレスを指定することにより、録音動作、つまり、フラッシュメモリ部１０８へのデータの書き込みを行い、また、再生動作、つまり、フラッシュメモリ部１０８からのデータの読み出しの制御を行う。また制御部１０８は、動作するための図示しないワークＲＡＭを含んでいる。
【００１３】
表示部１０２は、フラッシュメモリ部１０８に記録されたデータのファイル番号やファイル名を表示するための表示デバイス（例えば、ＬＣＤ等）である。
【００１４】
操作部１０３は、ＩＣレコーダ１００の録音動作、再生動作、区間再生動作、発声録音動作、レッスン再生動作、停止動作、可変速再生設定および解除などを指示するためのキー（ボタン）である。
【００１５】
オーディオ処理部１０４は、エンコーダ部１０９、デコーダ部１１０を含む。エンコーダ部１０９は、マイク部１０５から入力されたアナログ音をＡ／Ｄ変換してＭＰ３形式にエンコードする。本実施の形態では、エンコーダ部１０９でＭＰ３形式にエンコードしているが、他の形式でエンコードしても良い。デコーダ部１１０は、制御部１０８から出てきたデジタル音をＭＰ３形式のデータからデジタルデータにデコードして、Ｄ／Ａ変換してスピーカ部１０６へ出力する。本実施の形態では、デコーダ部１１０でＭＰ３形式のデータからデジタルデータにデコードしているが、他の形式のデータをデジタルデータにデコードしても良い。
【００１６】
マイク部１０５は、ＩＣレコーダ１００が録音するための音を拾うマイクである。
【００１７】
スピーカ部１０６は、ＩＣレコーダ１００に記録された音を再生するためのスピーカである。
【００１８】
通信部１０７は、ＩＣレコーダ１００がＰＣなどの外部機器１１１とＵＳＢ（Ｕｎｉｖｅｒｓａｌ  Ｓｅｒｉａｌ  Ｂｕｓ）接続によりデータ交換を行う。本実施の形態では、ＵＳＢ（Ｕｎｉｖｅｒｓａｌ  Ｓｅｒｉａｌ  Ｂｕｓ）による通信を行うが、その他の有線回線でも、無線ＬＡＮ接続等の無線回線による通信でも良い。
フラッシュメモリ部１０８は、録音した音データなどを格納するためのメモリである。
【００１９】
記録部１１２は、単一セクタ単位、複数セクタ単位、単一ページ単位、複数ページ単位、のいずれかの単位でフラッシュメモリ部１０８へデータの書き込みを行う。
【００２０】
再生部１１３は、単一セクタ単位、複数セクタ単位、単一ページ単位、複数ページ単位、のいずれかの単位でフラッシュメモリ部１０８からデータの読み出しを行う。
【００２１】
図２に、フラッシュメモリ部１０８における書き込みおよび読み出しの動作を示すメモリマップ図を示す。
【００２２】
フラッシュメモリ部１０８では、データは、論理ページ単位、あるいは、論理セクタ単位で書き込み。および、読み出しが行われる。論理ページのアドレスをＬｏｇｉｃａｌ  Ｐａｇｅ  Ａｄｄｒｅｓｓ（以下、ＬＰＡ））、論理セクタのアドレスをＬｏｇｉｃａｌ  Ｓｅｃｔｏｒ  Ａｄｄｒｅｓｓ（以下、ＬＳＡ）と呼ぶ。
【００２３】
ファイルシステムでは、データの書き込みはクラスタ単位で管理される。クラスタは、複数のページ、あるいは、複数のセクタからなる。クラスタの番号をＣｌｕｓｔｅｒＮｕｍｂｅｒ（以下、ＣＮ）と呼ぶ。図２では、論理セクタのサイズは５１２Ｂｙｔｅ、論理ページのサイズは１６セクタ、つまり８ＫＢｙｔｅ、クラスタのサイズは４ページ、つまり３２ＫＢの例を示している。論理セクタ２００は、ＬＳＡ＝１６００である。論理セクタ２００は、論理ページ（ＬＰＡ＝１００）の先頭セクタである。論理セクタ２０１は、ＬＳＡ＝１６０１である。論理セクタ２０１は、論理ページ（ＬＰＡ＝１００）の第二番目のセクタである。論理セクタ２０２は、ＬＳＡ＝１７１８である。論理セクタ２０２は、論理ページ（ＬＰＡ＝１０７）の途中のセクタである。手本音声ファイル２０３は、論理セクタ２００（ＬＳＡ＝１６００）から論理セクタ２０２（ＬＳＡ＝１７１８）までの１１９個の論理セクタからなるＭＰ３ファイルである。論理セクタ２０４は、ＬＳＡ＝１６３７である。論理セクタ２０４は、論理ページ（ＬＰＡ＝１０２）の途中のセクタである。論理セクタ２０５は、ＬＳＡ＝１６７１である。論理セクタ２０５は、論理ページ（ＬＰＡ＝１０４）の途中のセクタである。区間再生部２０６は、論理セクタ２０４（ＬＳＡ＝１６３７）から論理セクタ２０５（ＬＳＡ＝１６７１）までの３５個の論理セクタからなる手本音声ファイル２０３の区間再生部である。クラスタ２０７は、ＣＮ＝０である。クラスタ２０７は、論理ページＬＰＡ＝１００〜１０３からなる。クラスタ２０８は、ＣＮ＝１である。クラスタ２０８は、論理ページＬＰＡ＝１０４〜１０７からなる。
【００２４】
論理セクタ２０９は、ＬＳＡ＝８０００である。論理セクタ２０９は、論理ページ（ＬＰＡ＝５００）の先頭セクタである。論理セクタ２１０は、ＬＳＡ＝８０３４である。論理セクタ２１０は、論理ページ（ＬＰＡ＝５０２）の途中のセクタである。発声録音ファイル２１１は、論理セクタ２０９（ＬＳＡ＝８０００）から論理セクタ２１０（ＬＳＡ＝８０３４）までの３５個の論理セクタからなる発声音声を録音した発声録音ファイルである。クラスタ２１２は、ＣＮ＝１００である。クラスタ２１２は、論理ページＬＰＡ＝５００〜５０３からなる。
【００２５】
（ＩＣレコーダの動作説明）
次に、ＩＣレコーダ１００動作を説明する。
【００２６】
ＩＣレコーダ１００は、音データの録音／再生を行う機器であり、制御部１０１が、フラッシュメモリ部１０８のメモリ管理（データの読み出し／書き込み）を行うことによりＩＣレコーダとして動作する。
【００２７】
まず、録音・再生・ＵＳＢ接続の基本動作の概要について説明する。
【００２８】
（録音動作概要）
ユーザが、操作部１０３に対して録音キー押下を行うことにより、オーディオ処理部１０４は、エンコーダ部１０９を使って、マイク部１０５で集音した音データをＭＰ３形式でエンコードする。そして、制御部１０１は、フラッシュメモリ部１０８にエンコードデータを記録する。そして、ユーザが、操作部１０３に対して停止キー押下を行うことにより、エンコーダ部１０９は、ＭＰ３エンコードを停止し、制御部１０１は、フラシュメモリ部１０８へのエンコードデータの記録を停止する。
【００２９】
（再生動作概要）
表示部１０２は、フラッシュメモリ部１０８に記録されている音データのファイル名リスト、ファイル番号リストなどを表示する。ユーザは、表示部１０２に表示された音データの一覧からから所望の音データを選択する。その後、ユーザが再生キーを押すことで、制御部１０１が所望の音データをフラシュメモリ部１０８から読み出す。オーディオ処理部１０４は、デコーダ部１１０を使って、フラシュメモリ部１０８から読み出したＭＰ３形式のデータをデコードしてデジタルデータを生成する。スピーカ部１０６はそのデジタルデータを出力する。なお、本実施の形態では、スピーカ１０６を用いて音データを出力したが、スピーカ１０６の代わりにインナーホンから音出力する構成でも構わない。
【００３０】
（ＵＳＢ動作概要）
制御部１０８は、通信部１０７を介してＰＣから転送されたＭＰ３データを、フラッシュメモリ部１０８のユーザデータ領域部２０６に書き込むことが可能である。そして、書き込んだＭＰ３データを再生することも可能である。また逆に、通信部１０７を介してＰＣに対してフラッシュメモリ部１０８のユーザデータ領域部２０６に記録されているＭＰ３データを転送することも可能である。この動作は、ＰＣへデータのバックアップを意味する。
【００３１】
次に、制御部１０１の動作について詳細に説明する。
【００３２】
（制御部動作概要）
制御部１０１は、マイコン等で実現される。ＩＣレコーダ１００がＩＣレコーダとして動作するとき、制御部１０１は、フラッシュメモリ部１０８のメモリ管理（データの読み出し／書き込み）を行うことによりＩＣレコーダとして録音および再生の動作を行うものである。
【００３３】
（再生動作詳細）
再生動作におけるデータの再生（読み出し）動作について、図１〜図３を用いて、詳細に説明する。
【００３４】
ユーザは、操作部１０３に対して可変速再生キーを押すことにより、再生速度を所定の範囲（例えば、０．５倍速〜２倍速）で設定することができる。本実施の形態１では、例えば、通常速度の２倍速で再生することとして説明する。
【００３５】
ユーザが、操作部１０３に対して再生キーを押すことにより、再生が開始された時、つまり、フラッシュメモリ部１０８からのデータの読み出しが開始された時（Ｓ３００）、制御部１０１は、フラッシュメモリ部１０８からＭＰ３ファイルを読み出すために、ファイルシステムのファイルオープン処理を行い、手本音声ファイル２０３をオープンする（Ｓ３０１）。
【００３６】
次に、制御部１０１は、手本音声ファイル２０３を読み出し始める先頭セクタアドレスを計算して特定する（Ｓ３０２）。図２では、ファイルの読み出し開始位置として、先頭クラスタを、ファイルの先頭を示すクラスタであるクラスタ２０７とし、先頭論理ページを、そのクラスタ２０７の先頭論理ページである論理ページ（ＬＰＡ＝１００）とし、先頭論理セクタを、その論理ページ（ＬＰＡ＝１００）の先頭論理セクタであるＬＳＡ＝１６００の論理セクタ２００に決定したことを示している。
【００３７】
次に、再生部１１３は、制御部１０１が特定した読み出し位置である論理セクタからデータを１セクタ分だけ読み出す（Ｓ３０３）。そして、制御部１０１は、再生停止指示があるかどうか、つまり、読み出し終了かどうかを判断し（Ｓ３０５）、読み出し終了でなければ、制御部１０１は、次の読み出しセクタアドレスを計算して特定する（Ｓ３０２）。次の読み出しセクタアドレスは、論理セクタ番号を１つだけインクリメントしたＬＳＡ＝１６０１の論理セクタ２０１となる。このように、制御部１０１は、読み出し終了まで、論理セクタ番号を１つずつインクリメントしながら、データの読み出しを継続する。制御部１０１は、論理セクタ２０２まで到達し、読み出し終了と判断した場合（Ｓ３０５）、手本音声ファイル２０３をクローズし（Ｓ３０６）、可変速再生の設定を解除して通常速度に戻し（Ｓ３１０）、読み出し終了となる（Ｓ３０７）。ここで、可変速再生の設定が２倍速となっているため、論理セクタ２００から論理セクタ２０２までの再生に要する時間は、通常速度で再生するときと比較して半分となる。
【００３８】
また、手本音声ファイル２０３の一部分を繰り返し再生することができる。ユーザは、論理セクタ２００から論理セクタ２０２まで再生している最中に、操作部１０３に対して区間再生開始を指示する操作を行い、区間再生の開始位置を指定し（論理セクタ２０４）、次に、操作部１０３に対して区間再生の終了位置を指示する操作を行い、区間再生の終了位置を指定する（論理セクタ２０５）。これにより、論理セクタ２０４〜２０５までの３５セクタ分を抜き出され、その部分のみ繰り返し再生することが可能である。開始位置と終了位置が確定した時点で（Ｓ３０４）、区間再生動作へ移行する（Ｓ３０８）。なお、ここでは１セクタ単位で読み出す構成としているが、読み出し単位はこれに限るものではない。
【００３９】
（区間再生動作詳細）
区間再生動作について、図１、図２、図４を用いて、詳細に説明する。
【００４０】
制御部１０１は、手本音声ファイル２０３の中の区間再生する部分である区間再生部２０６を読み出し始める先頭セクタアドレスを計算して特定する（Ｓ４０１）。この先頭セクタアドレスは、具体的には、前述の区間再生の開始位置として指定した論理セクタ２０４となる。図２では、ファイルの読み出し開始位置が、論理セクタ２０４であることを示している。
【００４１】
次に、再生部１１３は、制御部１０１が計算した読み出し位置である論理セクタからデータを１セクタ分だけ読み出す（Ｓ４０２）。そして、制御部１０１は、停止キー押下などの区間再生終了指示があるかどうかを判断し（Ｓ４０４）、区間再生終了でなければ、区間再生の終了位置に到達したかどかどうかを判断し（Ｓ４０５）、区間再生の終了位置に到達していなければ、制御部１０１は、次の読み出しセクタアドレスを計算する（Ｓ４０１）。次の読み出しセクタアドレスは、論理セクタ番号を１つだけインクリメントした論理セクタ（図示しない）となる。このように、制御部１０１は、区間再生の終了位置まで、論理セクタ番号を１つずつインクリメントしながら、データの読み出しを継続し、区間再生の終了位置である論理セクタ２０５まで到達した時点で（Ｓ４０５）、次に読み出す論理セクタを区間再生の開始位置である論理セクタ２０４に戻す（Ｓ４０６）。この動作を繰り返すことにより、ユーザが指定した区間再生を繰り返し行うことができる。これは一般的にＡＢリピートと呼ばれる。ここで、可変速再生の設定が２倍速となっているため、論理セクタ２０４から論理セクタ２０５までの区間再生に要する時間は、通常速度で再生するときと比較して半分となる。
【００４２】
また、区間再生中、何度も聴いた区間再生の音声をユーザが真似て発声し、その発声音声を録音することが可能である。ユーザは、区間再生している最中に、発声音声の録音を開始するために、操作部１０３に対して発声録音開始キー押下を行う。この時点で、区間再生動作は停止され、一旦手本音声ファイル２０３をクローズし（Ｓ４０７）、発声録音動作へ移行する（Ｓ４０８）。
【００４３】
（発声録音動作詳細）
発声録音動作におけるデータの記録（書き込み）動作について、図１、図２、図５を用いて、詳細に説明する。
【００４４】
ユーザが、操作部１０３において発声録音開始キーを押すことにより、録音を開始した時、つまり、フラッシュメモリ部１０８へのデータの書き込みが開始された時、制御部１０１は、フラッシュメモリ部１０８へ新規に発声録音ファイルを作成するために、ファイルシステムにおけるファイルオープン処理を行い、発声録音ファイル２１１をオープンする（Ｓ５０１）。
【００４５】
次に、制御部１０１は、発声録音ファイル２１１を記録し始める先頭セクタアドレスを計算して特定する（Ｓ５０２）。図２では、ファイルの書き込み開始位置として、先頭クラスタを、書き込みに使用できるクラスタの先頭クラスタであるクラスタ２１２とし、先頭論理ページを、そのクラスタ２１２の先頭論理ページである論理ページ（ＬＰＡ＝５００）とし、先頭論理セクタを、その論理ページ（ＬＰＡ＝５００）の先頭論理セクタであるＬＳＡ＝８０００の論理セクタ２０９に決定したことを示している。
【００４６】
次に、記録部１１２は、制御部１０１が特定した書き込み位置である論理セクタ２０９にデータを１セクタ分だけ書き込む（Ｓ５０３）。そして、制御部１０１は、発声録音停止指示があるかどうか、つまり、書き込み終了かどうかを判断し（Ｓ５０４）、書き込み終了でなければ、制御部１０１は、次の書き込みセクタアドレスを計算して特定する（Ｓ５０２）。次の書き込みセクタアドレスは、論理セクタ番号を１つだけインクリメントした論理セクタ（図示しない）となる。このように、制御部１０１は、書き込み終了まで、論理セクタ番号を１つずつインクリメントしながら、データの書き込みを継続する。ユーザは、録音したい発声が終了した時点で、発生音声の録音を停止するために、操作部１０３に対して、発生録音停止キー押下を行う。この時点で、制御部１０１は、書き込み終了と判断し（Ｓ５０４）、発声録音ファイル２１１をクローズし（Ｓ５０５）、書き込み終了となる。書き込みが終了すると、引き続き、新たなユーザの操作なしに、レッスン再生動作へ移行する（Ｓ５０６）。なお、ここでは１セクタ単位で書き込む構成としているが、書き込み単位はこれに限るものではない。
【００４７】
（レッスン再生動作詳細）
レッスン再生動作におけるデータの再生（読み出し）動作について、図１、図２、図６を用いて、詳細に説明する。
【００４８】
最初に、手本音声ファイル２０３の一部である区間再生部２０６をフラッシュメモリ部１０８から読み出すために、ユーザが、操作部１０３において発声録音停止キーを押す。これにより、制御部１０１は、ファイルシステムのファイルオープン処理を行い、手本音声ファイル２０３をオープンする（Ｓ６０１）。このとき、可変速再生設定は２倍速になっている。
【００４９】
次に、制御部１０１は、手本音声ファイル２０３を読み出し始める先頭セクタアドレスを計算して特定する（Ｓ６０２）。この先頭セクタアドレスは、具体的には、前述の区間再生の開始位置として指定した論理セクタ２０４となる。図２では、ファイルの読み出し開始位置が、論理セクタ２０４であることを示している。
【００５０】
次に、再生部１１３は、制御部１０１が特定した読み出し位置である論理セクタからデータを１セクタ分だけ読み出す（Ｓ６０３）。そして、制御部１０１は、再生終了かどうか、つまり、読み出し終了かどうかを判断し（Ｓ６０４）、読み出し終了でなければ、制御部１０１は、次の読み出しセクタアドレスを計算して特定する（Ｓ６０２）。次の読み出しセクタアドレスは、論理セクタ番号を１つだけインクリメントした論理セクタ（図示しない）となる。このように、制御部１０１は、読み出し終了まで、論理セクタ番号を１つずつインクリメントしながら、データの読み出しを継続する。そして、区間再生の終了位置である論理セクタ２０５まで到達した時点で（Ｓ６０４）、制御部１０１は、区間再生部の読み出し終了と判断し、手本音声ファイル２０３をクローズする（Ｓ６０５）。ここで、可変速再生の設定が２倍速となっているため、論理セクタ２０４から論理セクタ２０５までの区間再生に要する時間は、通常速度で再生するときと比較して半分となる。その後、次に再生するファイルを、区間再生部２０６が含まれる手本音声ファイル２０３から、発声録音ファイル２１１に変更し（Ｓ６０７）、可変速再生設定を２倍速から通常速度に戻す（Ｓ６０８）。
【００５１】
次に、フラッシュメモリ部１０８から引き続き発声録音ファイル２１１を読み出すために、制御部１０１は、ファイルシステムのファイルオープン処理を行い、発声録音ファイル２１１をオープンする（Ｓ６０１）。このとき、可変速再生設定は通常速度になっている。
【００５２】
次に、制御部１０１は、発声録音ファイル２１１を読み出し始める先頭セクタアドレスを計算して特定する（Ｓ６０２）。この先頭セクタアドレスは、具体的には、前述の発声音声の開始位置である論理セクタ２０９となる。図２では、ファイルの読み出し開始位置が、論理セクタ２０９であることを示している。
【００５３】
次に、再生部１１３は、制御部１０１が特定した読み出し位置である論理セクタからデータを１セクタ分だけ読み出す（Ｓ６０３）。そして、制御部１０１は、再生終了かどうか、つまり、読み出し終了かどうかを判断し（Ｓ６０４）、読み出し終了でなければ、制御部１０１は、次の読み出しセクタアドレスを計算して特定する（Ｓ６０２）。次の読み出しセクタアドレスは、論理セクタ番号を１つだけインクリメントした論理セクタ（図示しない）となる。このように、制御部１０１は、読み出し終了まで、論理セクタ番号を１つずつインクリメントしながら、データの読み出しを継続する。そして、発声録音ファイル２１１の終了位置である論理セクタ２１０まで到達した時点で（Ｓ６０４）、制御部１０１は、発声音声の読み出し終了と判断し、発声録音ファイル２１１をクローズする（Ｓ６０５）。ここで、可変速再生の設定が通常速度となっているため、論理セクタ２０９から論理セクタ２１０までの発声録音ファイルの再生に要する時間は、実際に録音した実時間と等しくなる。そして、その後、次に再生するファイルを、発声録音ファイル２１１から、区間再生部２０６が含まれる手本音声ファイル２０３に変更し（Ｓ６０７）、可変速再生設定を通常速度から２倍速に戻す（Ｓ６０８）。
【００５４】
このように、再生するファイルを交互に変更しながら、手本音声ファイル２０３の中の区間再生部２０６と、発声録音ファイル２１１との再生を繰り返すことにより、通常速度以外も含めた区間再生部２０６の音声を真似た発声音声（発声録音ファイル２１１）をオリジナル（手本音声ファイル２０３の中の区間再生部２０６）と聞き比べすることが可能となり、語学学習に役立てることができる。
【００５５】
（他の実施の形態）
実施の形態１において、書き込み単位を、１セクタとして説明したが、これには限らない。例えば、複数セクタ単位、１ページ、複数ページとしてもよい。
【００５６】
また、実施の形態１において、読み出し単位を、１セクタとして説明したが、これには限らない。例えば、複数セクタ単位、１ページ、複数ページとしてもよい。
【００５７】
また、実施の形態１において、記録再生装置を、ＩＣレコーダとして説明したが、データの記録を行う装置、および、データの読み出しを行う装置であれば、あらゆる種の機器にも適用できるものである。
【００５８】
また、実施の形態１において、発声録音開始キーと発声録音停止キーが別々のキーであるものとして説明したが、これらは同じキーであっても構わないし、他のキーと兼用キーであっても構わない。
【００５９】
また、実施の形態１において、発声録音開始キーが、操作部１０３に対してＩＣレコーダ１００の外部から与えられるものとして説明したが、制御部１０１が、区間再生の繰り返し回数に基づいて発声録音開始のタイミングを生成する構成としてもよい。例えば、区間再生が１０回に達した時点で発生録音を開始する構成でもよい。
【００６０】
また、実施の形態１において、発声録音停止キーが、操作部１０３に対してＩＣレコーダ１００の外部から与えられるものとして説明したが、制御部１０１が、発声した音声が特定の音量レベルを一定時間下回ったときに発生音声が終了したと判断してこれに基づいて発声録音停止のタイミングを生成する構成としてもよい。
【００６１】
また、実施の形態１において、手本音声ファイル２０３がＭＰ３ファイルであることとして説明したが、手本音声ファイル２０３や発声録音ファイル２１１のデータ形式は特定の形式に限定するものではない。
【００６２】
また、実施の形態１において、発声録音ファイル２１１は、フラッシュメモリ部１０８にファイル化して書き込むこととして説明したが、ファイル化しなくても構わないし、ＲＡＭを搭載していれば、ＲＡＭ上に書き込む構成としてもよい。
【００６３】
また、実施の形態１において、可変速再生設定を２倍速として説明したが、手本音声ファイル２０３は、早口で聞き取れないために０．５倍速でゆっくり再生したり、逆に、早聞きの練習をするために２倍速で再生したり、様々な速度で再生することが可能であるため、それらを排除するものではない。
【００６４】
さらに、実施の形態１において、可変速再生設定を再生開始時のファイルオープン前に行い、可変速再生解除を再生終了時のファイルクローズ後に行うこととして説明したが、これらのタイミングは限定されるものではなく、再生前にあらかじめ設定されていても良いし、再生中に行っても良いし、区間再生中に行っても良いため、それらを排除するものではない。また、可変速再生の機能がなくても構わない。
【産業上の利用可能性】
【００６５】
本発明は、発音練習したいフレーズを区間再生することで最初に確定しておき、その状態から、発声音声の録音を開始および停止することにより、適切な正しい区間で、発音練習したいフレーズと発声音声の繰り返し再生を行うことができる記録装置を提供できる。
【符号の説明】
【００６６】
１００    ＩＣレコーダ
１０１    制御部
１０２    表示部
１０３    操作部
１０４    オーディオ処理部
１０５    マイク部
１０６    スピーカ部
１０７    通信部
１０８    フラッシュメモリ部
１０９    エンコーダ部
１１０    デコーダ部
１１１    外部機器
１１２    記録部
１１３    再生部
【図１】
2011203422.tif 000003
【図２】
2011203422.tif 000004
【図３】
2011203422.tif 000005
【図４】
2011203422.tif 000006
【図５】
2011203422.tif 000007
【図６】
2011203422.tif 000008